(57)【要約】【課題】二次電池の充電の必要性を知らせることができる。【解決手段】電子時計１００は、充電可能な二次電池１０７と、二次電池１０７を充電するソーラーパネル１０８と、表示部１１０と、二次電池１０７の電圧値の推移を表すテーブルを記憶するＲＡＭ１０６と、二次電池１０７の電圧値を検出し、検出した電圧値と、ＲＡＭ１０６が記憶するテーブルとに基づいて、二次電池１０７の充電の必要性を判定し、判定した二次電池１０７の充電の必要性を示す情報を表示部１１０に表示させるＣＰＵ１０１とを備える。【選択図】図１
2014017941.tif 000002
【特許請求の範囲】
【請求項１】
充電可能な二次電池と、
前記二次電池を充電する充電部と、
表示部と、
前記二次電池の電圧値の推移を表すテーブルを記憶する記憶部と、
前記二次電池の電圧値を検出する電圧検出部と、
前記電圧検出部が検出した前記電圧値と、前記記憶部が記憶する前記テーブルとに基づいて、前記二次電池の充電の必要性を判定する判定部と、
前記判定部が判定した前記二次電池の充電の必要性を示す情報を前記表示部に表示させる表示制御部と、
を備えることを特徴とする電子機器。
【請求項２】
前記判定部は、現在の月日に対応する電圧値を前記記憶部が記憶する前記テーブルから読み出し、読み出した前記電圧値と前記電圧検出部が検出した前記電圧値との差分に基づいて、前記二次電池の充電の必要性を判定する
ことを特徴とする請求項１に記載の電子機器。
【請求項３】
前記電圧検出部が検出した前記電圧値に基づいて、前記記憶部が記憶する前記テーブルを更新する更新部
を備えることを特徴とする請求項１または請求項２に記載の電子機器。
【請求項４】
前記判定部は、前記更新部が更新した後の前記テーブルから読み出した前記電圧値に基づいて基準電圧値を算出し、当該基準電圧値と前記電圧検出部が検出した前記電圧値との差分に基づいて、前記二次電池の充電の必要性を判定する
ことを特徴とする請求項３に記載の電子機器。
【請求項５】
前記電圧検出部は、前記二次電池の電圧値を所定周期で検出し、
前記記憶部は、前記二次電池の電圧値を前記所定周期毎に表す前記テーブルを記憶し、
前記判定部は、前記所定周期毎の電圧値に基づいて基準電圧を算出する
ことを特徴とする請求項１から請求項４のいずれか１項に記載の電子機器。
【請求項６】
充電可能な二次電池を備える電子機器における表示方法であって、
前記電子機器が、前記二次電池を充電するステップと、
前記電子機器が、前記二次電池の電圧値を検出するステップと、
前記電子機器が、検出した前記電圧値と、前記二次電池の電圧値の推移を表すテーブルとに基づいて、前記二次電池の充電の必要性を判定するステップと、
前記電子機器が、判定した前記二次電池の充電の必要性を示す情報を表示部に表示させるステップと、
を有することを特徴とする表示方法。
【発明の詳細な説明】
【技術分野】
【０００１】
本発明は、電子機器および表示方法に関する。
【背景技術】
【０００２】
現在、太陽電池等の発電装置を備え、二次電池を充電することにより電池交換することなく使用することができる電子時計がある。特許文献１には、このような電子時計において、二次電池の電圧を検出し、二次電池の電池残量を表示するものが記載されている。また、特許文献２には、二次電池の電圧が低下した際、ユーザーに発電を促す電子時計が記載されている。
【先行技術文献】
【特許文献】
【０００３】
【特許文献１】特開２００１−２１５２６２号公報
【特許文献２】特開２０１０−６６１４４号公報
【発明の概要】
【発明が解決しようとする課題】
【０００４】
しかしながら、特許文献１に記載の電子時計では、表示時点での電池残量を表示しているので、ユーザーは現在の使い方で電池残量不足になるかどうかを把握することが難しい。そのため、ユーザーは、電子時計を太陽に当てるなど積極的に充電した方がよいのか、そのまま電子時計を使用するだけでよいのかを判断することが難しい。また、特許文献２に記載の電子時計では、すでに電圧が低下した状態で充電を促しているため、電池残量不足に陥る可能性があるという問題がある。
【０００５】
そこで、本発明は上述の事情を鑑みてなされたものであり、二次電池の充電の必要性を知らせることができる電子機器および表示方法を提供することを目的とする。
【課題を解決するための手段】
【０００６】
本発明は、充電可能な二次電池と、前記二次電池を充電する充電部と、表示部と、前記二次電池の電圧値の推移を表すテーブルを記憶する記憶部と、前記二次電池の電圧値を検出する電圧検出部と、前記電圧検出部が検出した前記電圧値と、前記記憶部が記憶する前記テーブルとに基づいて、前記二次電池の充電の必要性を判定する判定部と、前記判定部が判定した前記二次電池の充電の必要性を示す情報を前記表示部に表示させる表示制御部と、を備えることを特徴とする電子機器である。
【０００７】
また、本発明の電子機器において、前記判定部は、現在の月日に対応する電圧値を前記記憶部が記憶する前記テーブルから読み出し、読み出した前記電圧値と前記電圧検出部が検出した前記電圧値との差分に基づいて、前記二次電池の充電の必要性を判定することを特徴とする。
【０００８】
また、本発明は、前記電圧検出部が検出した前記電圧値に基づいて、前記記憶部が記憶する前記テーブルを更新する更新部を備えることを特徴とする電子機器である。
【０００９】
また、本発明の電子機器において、前記判定部は、前記更新部が更新した後の前記テーブルから読み出した前記電圧値に基づいて基準電圧値を算出し、当該基準電圧値と前記電圧検出部が検出した前記電圧値との差分に基づいて、前記二次電池の充電の必要性を判定することを特徴とする。
【００１０】
また、本発明の電子機器において、前記電圧検出部は、前記二次電池の電圧値を所定周期で検出し、前記記憶部は、前記二次電池の電圧値を前記所定周期毎に表す前記テーブルを記憶し、前記判定部は、前記所定周期毎の電圧値に基づいて基準電圧を算出することを特徴とする。
【００１１】
また、本発明は、充電可能な二次電池を備える電子機器における表示方法であって、前記電子機器が、前記二次電池を充電するステップと、前記電子機器が、前記二次電池の電圧値を検出するステップと、前記電子機器が、検出した前記電圧値と、前記二次電池の電圧値の推移を表すテーブルとに基づいて、前記二次電池の充電の必要性を判定するステップと、前記電子機器が、判定した前記二次電池の充電の必要性を示す情報を表示部に表示させるステップと、を有することを特徴とする表示方法である。
【発明の効果】
【００１２】
本発明によれば、充電部は二次電池を充電する。また、電圧検出部は、二次電池の電圧値を検出する。また、記憶部は、前記二次電池の電圧値の推移を表すテーブルを記憶する。また、判定部は、電圧検出部が検出した電圧値と、記憶部が記憶するテーブルとに基づいて、二次電池の充電の必要性を判定する。また、表示制御部は、判定部が判定した二次電池の充電の必要性を示す情報を表示部に表示させる。この構成により、時期に応じて変化する二次電池の電圧値を予め記憶し、記憶している電圧値と現在の二次電池の電圧値とに基づいて充電の必要性を判定しているため、現在の時期に適した充電の必要性を判定することができる。従って、より精度良く充電の必要性を判定することができる。また、判定した充電の必要性を表示するため、ユーザーに二次電池の充電の必要性を知らせることができる。従って、ユーザーは、積極的に充電した方がよいのか、そのまま使用するだけでよいのかを容易に判断することができる。
【図面の簡単な説明】
【００１３】
【図１】本発明の第１の実施形態における電子時計の構成を示したブロック図である。
【図２】本発明の第１の実施形態における電子時計が記憶する年間電圧推移テーブルを示すグラフである。
【図３】本発明の第１の実施形態における二次電池の充電の必要性を示す表示内容を示した概略図である。
【図４】本発明の第１の実施形態における電子時計が実行する充電傾向表示処理の処理手順を示したフローチャートである。
【図５】本発明の第２の実施形態における電子時計が実行する充電傾向表示処理の処理手順を示したフローチャートである。
【発明を実施するための形態】
【００１４】
（第１の実施形態）
以下、本発明の第１の実施形態について、図面を参照しながら説明する。本実施形態では、電子機器の一例として、太陽電池（ソーラーパネル）を備えた電子時計の例を用いて説明する。図１は、本実施形態における電子時計の構成を示したブロック図である。図示する例では、電子時計１００は、ＣＰＵ１０１（電圧検出部、判定部、表示制御部）と、発振回路１０２と、分周回路１０３と、入力手段１０４と、ＲＯＭ（Ｒｅａｄ  Ｏｎｌｙ  Ｍｅｍｏｒｙ、読み出し専用メモリ）１０５と、ＲＡＭ（Ｒａｎｄｏｍ  Ａｃｃｅｓｓ  Ｍｅｍｏｒｙ、ランダムアクセスメモリ）１０６（記憶部）と、二次電池１０７と、ソーラーパネル１０８（充電部）と、逆流防止回路１０９と、表示部１１０とを備える。
【００１５】
ＣＰＵ１０１は、電子時計１００が備える各部の制御を行う。例えば、ＣＰＵ１０１は、二次電池１０７の電圧を所定の周期（本実施形態では１日周期）で検出する。また、ＣＰＵ１０１は、検出した電圧値と、ＲＡＭ１０６が記憶する年間電圧推移テーブルとに基づいて、二次電池１０７の充電の必要性を判定する。また、ＣＰＵ１０１は、判定した二次電池の必要性を示す情報を表示部１１０に表示させる。発振回路１０２は、所定周波数の信号を出力する。分周回路１０３は、発振回路１０２の出力信号を所定分周比で分周してＣＰＵ１０１用の規準クロック信号や計時用の時計信号を出力する。入力手段１０４は、外部から操作可能なスイッチによって構成されており、入力を受け付ける。ＲＯＭ１０５は、ＣＰＵ１０１が実行するプログラムを予め記憶している。ＲＡＭ１０６は、電子時計１００が用いるデータを記憶する。例えば、ＲＡＭ１０６は、予め定めた期間（本実施形態では１年）での二次電池１０７の電圧値の推移を表す年間電圧推移テーブルを記憶する。
【００１６】
二次電池１０７は、充電可能な電池であり、電子時計１００が備える各部に電力を供給する。二次電池１０７が出力する電圧（出力電圧）は、電池残量（蓄電量）が多い場合には高く、電池残量が少なくなるにつれて低くなる。これにより、二次電池１０７が出力する電圧の値（出力電圧値）に基づいて、二次電池１０７の電池残量を検出することができる。
【００１７】
ソーラーパネル１０８は、受光した光の強度に応じた電力を発電し、二次電池１０７を充電する。逆流防止回路１０９は、二次電池１０７からソーラーパネル１０８に電流が流れないように制御する回路である。表示部１１０は例えば液晶ディスプレイであり、時刻や、二次電池の充電の必要性を示す情報などを表示する。
【００１８】
次に、ＲＡＭ１０６が記憶する、二次電池１０７の年間電圧推移テーブルについて説明する。図２は、本実施形態におけるＲＡＭ１０６が記憶する年間電圧推移テーブルを示すグラフである。年間電圧推移テーブルは、１年間における二次電池１０７の電圧値の推移を示すテーブルである。本図に示すグラフの縦軸は二次電池１０７の電圧値（単位はＶ（ボルト））であり、横軸は月日である。図示するように、年間電圧推移テーブルは、各月日における二次電池１０７の電圧値を記憶する。
【００１９】
この年間電圧推移テーブルにおける二次電池１０７の電圧値は、電子時計１００の試作機を１年間携帯して得た、実測値である。ソーラーパネル１０８は、表面の一部でも光を遮断されると発電できない。そのため、秋や冬の長袖を着る季節では、ソーラーパネル１０８が袖に隠れてしまい、充電できる機会が減少し、二次電池１０７の電圧値は低下し続ける（図中１０月〜４月頃）。一方、春や夏の半袖を着る季節では充電できる機会が増え、二次電池１０７の電圧値は上昇し続ける（図中５月〜９月頃）。また、図中６月頃は、梅雨のため、一時的に二次電池１０７の電圧値が下降する。このように、二次電池１０７の電圧値は、季節毎にその値が変化する。本発明における電子時計１００は、季節に応じて変化する二次電池１０７の電圧値を予め記憶している。
【００２０】
次に、表示部１１０が表示する、二次電池１０７の充電の必要性を示す表示内容について説明する。図３は、本実施形態における表示部１１０が表示する、二次電池１０７の充電の必要性を示す表示内容を示した概略図である。図３（ａ）に示す表示１は、積極的な充電を心がけなければ、電池切れの発生する可能性が高いことを表す表示である。ＣＰＵ１０１は、現在の二次電池１０７の電圧値が、年間電圧推移テーブルにおける現在の月日に対応する電圧値と比較して低い場合に、図３（ａ）に示す表示１を表示部１１０に表示する。図３（ｂ）に示す表示２ａ及び図３（ｃ）に示す表示２ｂは、現状の使い方を続けても、電池切れの発生する可能性は低いことを示す表示である。ＣＰＵ１０１は、現在の二次電池１０７の電圧値が、年間電圧推移テーブルにおける現在の月日に対応する電圧値と比較してほぼ等しい場合に、図３（ｂ）に示す表示２ａ又は図３（ｃ）に示す表示２ｂを表示部１１０に表示する。なお、この場合の表示は、図３（ｂ）に示す表示２ａ又は図３（ｃ）に示す表示２ｂいずれであってもよい。以下、説明を簡略化するため、図３（ｂ）に示す表示２ａ及び図３（ｃ）に示す表示２ｂを総称して表示２とする。図３（ｄ）に示す表示３は、多少充電できない環境で使用しても、ただちに電池切れの発生する可能性は低いことを示す表示である。ＣＰＵ１０１は、現在の二次電池１０７の電圧値が、年間電圧推移テーブルにおける現在の月日に対応する電圧値と比較して高い場合に、図３（ｄ）に示す表示３を表示部１１０に表示する。
【００２１】
ユーザーは、表示部１１０が表示するこれらの表示を見ることで、二次電池１０７の充電の必要性を知ることができる。従って、ユーザーは、電子時計１００を太陽に当てるなど積極的に二次電池１０７を充電した方がよいのか、そのまま電子時計１００を使用するだけでよいのか容易に判断することができる。
例えば、表示部１１０が図３（ａ）に示す表示１を行っている場合、ユーザーは積極的な充電を心がけなければ、電池切れの発生する可能性が高いことを知ることができる。そのため、ユーザーは、積極的に二次電池１０７を充電した方が良いと容易に判断することができる。また、表示部１１０が図３（ｂ）又は図３（ｃ）に示す表示２を行っている場合、ユーザーは現状の使い方を続けても、電池切れの発生する可能性は低いことを知ることができる。そのため、ユーザーは、これまでと同様に電子時計１００を使用しても電池切れの発生する可能性は低いため、積極的に二次電池１０７を充電する必要がないと容易に判断することができる。また、表示部１１０が図３（ｄ）に示す表示３を行っている場合、ユーザーは多少充電できない環境で使用しても、ただちに電池切れの発生する可能性は低いことを知ることができる。そのため、ユーザーは、これまでと同様に電子時計１００を使用するのが良いと判断することができる。
【００２２】
なお、表示部１１０が表示する、二次電池１０７の充電の必要性を示す表示内容は、図３に示した表示内容に限らない。例えば、文字や、電池マーク等の他の図形を用いて、二次電池１０７の充電の必要性を示す表示をしてもよい。
【００２３】
次に、本実施形態における電子時計１００が、二次電池１０７の充電の必要性を表示部１１０に表示する充電傾向表示処理について説明する。図４は、本実施形態における電子時計１００が実行する充電傾向表示処理の処理手順を示したフローチャートである。なお、電子時計１００は、１日１回定時に充電傾向表示処理を実行する。例えば、電子時計１００は、ユーザーが電子時計１００を使用する可能性が少ない午前３時に充電傾向表示処理を実行する。
【００２４】
（ステップＳ１０１）ＣＰＵ１０１は、二次電池１０７の電圧値Ｖｂを検出する。その後、ステップＳ１０２の処理に進む。
（ステップＳ１０２）ＣＰＵ１０１は、分周回路１０３から出力される時計信号に基づいて、現在の月日を読み出す。その後、ステップＳ１０３の処理に進む。
（ステップＳ１０３）ＣＰＵ１０１は、ＲＡＭ１０６が記憶している年間電圧推移テーブルから、現在の月日に対応する電圧値Ｖｔを読み出す。その後、ステップＳ１０４の処理に進む。
（ステップＳ１０４）ＣＰＵ１０１は、ステップＳ１０１の処理で検出した二次電池１０７の電圧値Ｖｂと、ステップＳ１０３の処理で読み出した電圧値Ｖｔとを比較し、どちらの電圧値が高い（低い）電圧値であるかを判定する。ステップＳ１０１で検出した電圧値Ｖｂが電圧値Ｖｔ1（＝Ｖｔ−α）よりも低い電圧値であるとＣＰＵ１０１が判定した場合にはステップＳ１０５の処理に進む。ただし、αは予め設定された正数値である。また、ステップＳ１０１で検出した電圧値Ｖｂが電圧値Ｖｔ1以上であり電圧値Ｖｔ2（＝Ｖｔ＋α）以下であるとＣＰＵ１０１が判定した場合にはステップＳ１０６の処理に進む。また、ステップＳ１０１で検出した電圧値Ｖｂが電圧値Ｖｔ2よりも高い電圧値であるとＣＰＵ１０１が判定した場合にはステップＳ１０７の処理に進む。
【００２５】
（ステップＳ１０５）ＣＰＵ１０１は、積極的な充電を心がけなければ、電池切れの発生する可能性が高いことを表す表示１を表示部１１０に表示させる。その後、充電傾向表示処理を終了する。
（ステップＳ１０６）ＣＰＵ１０１は、現状の使い方を続けても、電池切れの発生する可能性は低いことを示す表示２を表示部１１０に表示させる。その後、充電傾向表示処理を終了する。
（ステップＳ１０７）ＣＰＵ１０１は、多少充電できない環境で使用しても、ただちに電池切れの発生する可能性は低いことを示す表示３を表示部１１０に表示させる。その後、充電傾向表示処理を終了する。
【００２６】
上述したとおり、本実施形態では、ＣＰＵ１０１は、１日１回定時に二次電池１０７の電圧値を検出する。そして、ＣＰＵ１０１は、検出した電圧値と、年間電圧推移テーブルに記憶されている現在の月日の電圧値を比較することで、二次電池１０７の充電の必要性を判定する。具体的には、ＣＰＵ１０１は、検出した電圧値よりも年間電圧推移テーブルに記憶されている現在の月日の電圧値の方が高い場合、積極的な充電を心がけなければ、電池切れの発生する可能性が高いと判定する。また、ＣＰＵ１０１は、検出した電圧値と年間電圧推移テーブルに記憶されている現在の月日の電圧値とがほぼ等しい場合、現状の使い方を続けても、電池切れの発生する可能性は低いと判定する。また、ＣＰＵ１０１は、検出した電圧値よりも年間電圧推移テーブルに記憶されている現在の月日の電圧値の方が低い場合、多少充電できない環境で使用しても、ただちに電池切れの発生する可能性は低いと判定する。このように、季節に応じて変化する二次電池１０７の電圧値を示す年間電圧推移テーブルを予め記憶し、記憶している年間電圧推移テーブルと現在の二次電池１０７の電圧値を比較しているため、精度良く二次電池１０７の充電の必要性を判定することができる。
【００２７】
また、ＣＰＵ１０１は、二次電池１０７の充電の必要性を示す表示内容を表示部１１０に表示させる。これにより、ユーザーは、表示部１１０が表示するこれらの表示内容を見ることで、二次電池１０７の充電の必要性を知ることができる。従って、ユーザーは、電子時計１００を太陽に当てるなど積極的に二次電池１０７を充電した方がよいのか、そのまま電子時計１００を使用するだけでよいのかを容易に判断することができる。例えば、充電の不利な季節に、現状の使い方で電池残量不足を回避できるかどうかがわかり易い。
【００２８】
（第２の実施形態）
次に、本発明の第２の実施形態について、図面を参照しながら説明する。本実施形態における電子時計１００は、第１の実施形態における電子時計１００と同様の構成である。本実施形態と第１の実施形態とで異なる点は、ＣＰＵ１０１（更新部）が、現在の二次電池１０７の電圧値を検出した後に、検出した電圧値に基づいてＲＡＭ１０６に記憶している年間電圧推移テーブルを更新する点である。
【００２９】
以下、本実施形態における電子時計１００が、二次電池１０７の充電傾向を表示部１１０に表示する充電傾向表示処理について説明する。図５は、本実施形態における電子時計１００が実行する充電傾向表示処理の処理手順を示したフローチャートである。なお、本実施形態における充電傾向表示処理を実行するタイミングは、第１の実施形態と同様である。
【００３０】
ステップＳ２０１〜Ｓ２０７までの処理は、上述したステップＳ１０１〜１０７までの処理と同様であるため、説明を省略する。
（ステップＳ２０８）ＣＰＵ１０１は、ステップＳ２０５，Ｓ２０６又はＳ２０７に続いて、ステップＳ２０１の処理で検出した二次電池１０７の電圧値Ｖｂに基づいて、ＲＡＭ１０６に記憶している年間電圧推移テーブルを更新する。具体的には、ＣＰＵ１０１は、所定期間における検出した電圧値Ｖｂの移動平均で年間電圧推移テーブルを更新する。例えば、ＣＰＵ１０１は、過去１週間分の検出した電圧値ＶｂをＲＡＭ１０６に記憶しておき、記憶した１週間分の電圧値Ｖｂの移動平均を算出する。そして、ＣＰＵ１０１は、年間電圧推移テーブルにおいて現在の月日に対応する電圧値を、算出した電圧値Ｖｂの移動平均に書き換える。その後、充電傾向表示処理を終了する。
なお、本例では、移動平均を算出する期間を１週間としたが、これに限らず、この期間は任意でよく、例えば３日や２週間等であってもよい。
【００３１】
上述したとおり、本実施形態では、ＣＰＵ１０１は、検出した二次電池１０７の電圧値に基づいて、ＲＡＭ１０６に記憶している年間電圧推移テーブルを更新する。これにより、ユーザーの使用年月が増えるに従い、ユーザーの使用状況に適合した年間電圧推移テーブルに更新することができる。よって、本実施形態では、第１の実施形態の効果に加えて、ユーザーの使用年月が増えるに従い、ユーザーの使用状況に適合した精度の良いガイダンス（充電の必要性の表示）が行えるようになる。
また、本実施形態では、検出した電圧値の移動平均で年間電圧推移テーブルを更新するため、電圧値を平滑化することができ、年間電圧推移テーブルにおいて日による電圧値のばらつきを防ぐことができる。そのため、例えば、夏であっても雨が降っていてたまたまソーラーパネル１０８の発電量が少ない日があったとしても、その日だけ前後の日に比べて低い電圧値で更新することを防ぐことができる。
【００３２】
なお、上述した第１の実施形態および第２の実施形態における電子時計１００が備える各部の機能全体あるいはその一部は、これらの機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。
【００３３】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶部のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００３４】
以上、本発明の実施形態について説明したが、本発明は、上記実施形態に限定されるものではなく、本発明の趣旨を逸脱しない範囲において種々の変更を加えることが可能である。
【００３５】
例えば、上述した実施形態では、１日に１回充電傾向表示処理を実行している例を説明したが、これに限らず、例えば、１日に複数回や、３日に１回等、任意のタイミングで充電傾向表示処理を実行して充電の必要性をユーザーに知らせるようにしてもよい。
また、上述した実施形態では、年間電圧推移テーブルは、１日毎に二次電池１０７の電圧値を記憶しているが、例えば、１ヶ月毎や１週間毎等、任意の期間毎に二次電池１０７の電圧値を記憶してもよい。
【００３６】
また、上述した実施形態では、年間電圧推移テーブルは、１年間における二次電池１０７の電圧値の推移を記憶しているが、例えば、１日や、１週間、１ヶ月等、任意の期間における二次電池１０７の電圧値の推移を記憶してもよい。例えば、年間電圧推移テーブルが１日における二次電池１０７の電圧値の推移を記憶している場合、ＣＰＵ１０１は、検出した二次電池１０７の電圧値と、年間電圧推移テーブルにおける現在の時刻に対応する電圧値１０７とを比較して表示部１１０に充電の必要性を表示する。
また、上述した実施形態では、充電部をソーラーパネル１０８としたが、二次電池１０７を充電できるものであれば、例えば機械式の発電装置等であってもよい。
また、上述した実施形態では、電子機器として電子時計１００を例に説明したが、例えば、ソーラーパネルを備える歩数計等、二次電池を充電する充電部を備えるものであれば他の電子機器であってもよい。
【符号の説明】
【００３７】
１００・・・電子時計、１０１・・・ＣＰＵ、１０２・・・発振回路、１０３・・・分周回路、１０４・・・入力手段、１０５・・・ＲＯＭ、１０６・・・ＲＡＭ、１０７・・・二次電池、１０８・・・ソーラーパネル、１０９・・・逆流防止回路、１１０・・・表示部
【図１】
2014017941.tif 000003
【図２】
2014017941.tif 000004
【図３】
2014017941.tif 000005
【図４】
2014017941.tif 000006
【図５】
2014017941.tif 000007